(57)【要約】      （修正有）【課題】柱状構造物に対して簡便且つ迅速に取付けが可能であると共に、メンテナンス性や量産性にも優れたアウターローター型風力発電機を提供すること。【解決手段】風力発電機は、固定子１０、回転子及び風受け部材を備える。固定子１０の本体部１１は、複数の固定子分割片１２Ａ，Ｂ，Ｃから構成されている。複数の固定子分割片の各々は、各固定子分割片に隣接配置される少なくとも一つの他の固定子分割片との間でヒンジ式連結部１５を介して回動可能に連結されている。固定子本体部１１は、非装着時にはヒンジ式連結部１５において折り曲げ自在な帯状の胴体をなす一方で、柱状構造物Ｐへの装着時には略円筒形の胴体を構成する。【選択図】図３
2015209805.tif 000002
【特許請求の範囲】
【請求項１】
複数の巻線コイルを具備する固定子と、複数の永久磁石を具備すると共に前記固定子を取り囲むように設けられる回転子と、前記回転子に取り付けられる風受け部材とを備えたアウターローター型風力発電機であって、
前記固定子の本体部は、略円筒形の胴体を形成可能であると共にその略円筒形の胴体を中心軸線の周りで分割してなる複数の固定子分割片から構成されており、
前記複数の固定子分割片の各々は、各固定子分割片に隣接配置される少なくとも一つの他の固定子分割片との間でヒンジ式連結部を介して回動可能に連結されており、その結果、前記固定子の本体部は、非装着時には前記ヒンジ式連結部において折り曲げ自在な帯状の胴体をなす一方で、柱状構造物への装着時には略円筒形の胴体を構成する、
ことを特徴とするアウターローター型風力発電機。
【請求項２】
前記固定子は、複数の巻線コイル単位を有し、前記複数の巻線コイル単位の各々は、コイル保持体に巻線を巻き付けてなるものであり、
前記固定子分割片には、巻線コイル単位を嵌合させて固定するための嵌合部が設けられている、ことを特徴とする請求項１に記載のアウターローター型風力発電機。
【請求項３】
前記帯状の胴体の両端に位置する二つの固定子分割片をそれぞれの端部で互いに接合させ、当該接合箇所を締結具で連結固定することにより、前記略円筒形の胴体が構成される、ことを特徴とする請求項１又は２に記載のアウターローター型風力発電機。
【請求項４】
前記回転子は、複数の回転子分割片から構成されており、
前記複数の回転子分割片のうちの隣り合う二つの回転子分割片は、前記風受け部材を回転子に取り付けるための支持アームを兼ねたアーム状連結具によって相互に連結されている、ことを特徴とする請求項１〜３のいずれか一項に記載のアウターローター型風力発電機。
【発明の詳細な説明】
【技術分野】
【０００１】
本発明は、風力発電機に関し、特に、屋外の柱状構造物に対して容易に取付け可能な構造を有するアウターローター型風力発電機に関するものである。
【背景技術】
【０００２】
クリーンエネルギーとしての風力を利用した風力発電が注目を集めている。風力発電機又は風力発電設備には様々なタイプがあるが、構造が比較的簡素で設置場所についての制約が少ないタイプとして、アウターローター型風力発電機が知られている（特許文献１参照）。一般にアウターローター型発電機は、複数の巻線コイルを備えた固定子（ステータ）と、その固定子の外側にあって該固定子を取り囲むように形成されると共に複数の永久磁石を備えた回転子（ローター）とを有している。そして、この回転子に風車ブレード等の風受け部材を取り付けることで、アウターローター型の風力発電機を構築することができる。
【０００３】
本件出願人は、アウターローター型発電機の簡便性や機動性に着目し、屋外の柱状構造物に対して取付け容易な構造（具体的には分割構造）を持ったアウターローター型風力発電機を提案している（特許文献３参照）。このアウターローター型風力発電機によれば、既存の柱状構造物（例えば電柱、街路灯用支柱、道路標識用支柱）を利用して風力発電機を簡単・迅速に設置することができるばかりでなく、現地での組立てや部品交換等のメンテナンスを容易にすることができる。
【０００４】
なお、回転体を支持する構造物を分割構造化することを着想した技術として、特許文献２を発見した。特許文献２は「立軸回転電機のスラスト軸受装置」に関するものであり、スラスト軸受装置の一構成要素であるスラストランナー（３）を、弧状をした複数の分割スラストランナー（３ａ，３ｂ）から構成している。但し特許文献２の技術は、スラストランナーの熱変形防止等を意図したものであり、本発明に係る風力発電機と直接的な関係はなく、又、本発明（後述の解決手段）について何らかの示唆を与えるものでもない。
【先行技術文献】
【特許文献】
【０００５】
【特許文献１】実開昭６２−１６８７７２号公報（第１図、全文）
【特許文献２】特開２００２−８１４３８号公報
【特許文献３】特開２０１４−４５５７３号公報
【発明の概要】
【発明が解決しようとする課題】
【０００６】
本発明は、従前のアウターローター型風力発電機に更なる改良を加え、利便性や機動性を更に高めたものである。即ち、本発明の目的は、柱状構造物に対して簡便且つ迅速に取付けが可能であると共に、メンテナンス性や量産性にも優れたアウターローター型風力発電機を提供することにある。
【課題を解決するための手段】
【０００７】
請求項１の発明は、複数の巻線コイルを具備する固定子と、複数の永久磁石を具備すると共に前記固定子を取り囲むように設けられる回転子と、前記回転子に取り付けられる風受け部材とを備えたアウターローター型風力発電機であって、
前記固定子の本体部は、略円筒形の胴体を形成可能であると共にその略円筒形の胴体を中心軸線の周りで分割してなる複数の固定子分割片から構成されており、
前記複数の固定子分割片の各々は、各固定子分割片に隣接配置される少なくとも一つの他の固定子分割片との間でヒンジ式連結部を介して回動可能に連結されており、その結果、前記固定子の本体部は、非装着時には前記ヒンジ式連結部において折り曲げ自在な帯状の胴体をなす一方で、柱状構造物への装着時には略円筒形の胴体を構成する、ことを特徴とするものである。
【０００８】
請求項２の発明は、請求項１に記載のアウターローター型風力発電機において、
前記固定子は、複数の巻線コイル単位を有し、前記複数の巻線コイル単位の各々は、コイル保持体に巻線を巻き付けてなるものであり、
前記固定子分割片には、巻線コイル単位を嵌合させて固定するための嵌合部が設けられている、ことを特徴とする。
【０００９】
請求項３の発明は、請求項１又は２に記載のアウターローター型風力発電機において、
前記帯状の胴体の両端に位置する二つの固定子分割片をそれぞれの端部で互いに接合させ、当該接合箇所を締結具で連結固定することにより、前記略円筒形の胴体が構成される、ことを特徴とする。
【００１０】
請求項４の発明は、請求項１〜３のいずれか一項に記載のアウターローター型風力発電機において、
前記回転子は、複数の回転子分割片から構成されており、
前記複数の回転子分割片のうちの隣り合う二つの回転子分割片は、前記風受け部材を回転子に取り付けるための支持アームを兼ねたアーム状連結具によって相互に連結されている、ことを特徴とする。
【発明の効果】
【００１１】
請求項１の発明によれば、固定子の本体部は複数の固定子分割片から構成され、非装着時には折り曲げ自在な帯状の胴体をなす一方で、柱状構造物への装着時には略円筒形の胴体を構成することができる。このため、未使用時における保管や搬送が容易であると共に、必要時には固定子を柱状構造物に対して簡便且つ迅速に取付けることができる。より具体的には、本発明の風力発電機を分解した状態で災害現場に持って行き、現地で災害後にも残っている柱状構造物（例えば、電柱や夜間照明の街路灯用支柱など）を利用して、風力発電機を簡便且つ迅速に構築することができる。
【００１２】
請求項２の発明によれば、コイル保持体に巻線を巻き付けてなる巻線コイル単位を個別部品として用意すると共に、各巻線コイル単位を固定子分割片の各嵌合部にそれぞれ嵌合固定する構造としている。このため、例えば落雷によって巻線コイルに不具合が生じても、パーツ毎に（即ち巻線コイル単位で）交換することができ、メンテナンス性に優れている。また、巻線コイル単位は固定子分割片から切り離された別部品として提供されるため、例えばコイル保持体に巻線を巻き付ける作業を、機械（例えば自動巻回装置）を利用して行うことができ、量産性に優れている。
【００１３】
請求項３の発明によれば、未使用時（非装着時）には帯状をなす固定子本体部を、現場で柱状構造物に巻き付けると共に、その帯状の胴体の両端に位置する二つの固定子分割片をそれぞれの端部で互いに接合させ、当該接合箇所を締結具で連結固定するという簡単な作業で、略円筒形の胴体を完成させることができる。このように本発明は、固定子の柱状構造物への装着を極めて迅速に完了することができるため、利便性が高い。
【００１４】
請求項４の発明によれば、回転子についても複数の回転子分割片から構成されている。このため、分割した状態で保管及び搬送ができると共に、現場で組み立てることで風力発電機を簡便且つ迅速に構築することができる。
【図面の簡単な説明】
【００１５】
【図１】本発明の一実施形態に従うアウターローター型風力発電機の組立て完了時における斜視図。
【図２】略円筒形胴体の形成時における固定子の本体部を示す斜視図。
【図３】帯状胴体の展開時における固定子の本体部を示す斜視図。
【図４】一つの固定子分割片を示し、（ａ）は外側から見た斜視図、（ｂ）は内側から見た斜視図。
【図５】別の固定子分割片を示し、（ａ）は外側から見た斜視図、（ｂ）は内側から見た斜視図。
【図６】巻線コイル単位のコイル保持体を示し、（ａ）は正面図、（ｂ）は平面図、（ｃ）は側面図。
【図７】巻線コイル単位の拡大斜視図。
【図８】（ａ）は固定子分割片の嵌合孔付近の拡大縦断面図、（ｂ）は巻線コイル単位の固定子分割片への取り付け状況を示す斜視図。
【図９】三つの回転子分割片を組み合わせてなる回転子の平面図。
【図１０】回転子分割片を示し、（ａ）は外側から見た斜視図、（ｂ）は内側から見た斜視図。
【図１１】（ａ）上側用アーム状連結具の平面図、（ｂ）上側用アーム状連結具の側面図、（ｃ）下側用アーム状連結具の平面図、（ｄ）下側用アーム状連結具の側面図。
【図１２】隣り合う二つの回転子分割片の連結方法を説明するための斜視図。
【発明を実施するための形態】
【００１６】
以下、本発明の一実施形態であるアウターローター型風力発電機について図面を参照しつつ説明する。
【００１７】
図１に示すように、アウターローター型風力発電機は、仮想線（二点鎖線）で示す柱状構造物Ｐに取り付け可能な固定子（ステータ）１０と、その固定子１０を取り囲むように設けられた回転子（ローター）３０と、合計３枚の風受け部材としての風車ブレード５０とを備えている。３枚の風車ブレード５０はそれぞれ、上側及び下側支持アーム（４１，４２）を介して回転子１０の外側に支持連結されている。
【００１８】
［固定子］
図２及び図３は固定子１０の本体部１１の全体像を示し、図４及び図５は固定子本体部１１を構成する個々の固定子分割片（１２Ａ，１２Ｂ等）を示す。
【００１９】
図２に示すように、固定子の本体部１１は、略円筒形の胴体を形成可能であると共にその略円筒形の胴体を中心軸線Ｃ１の周りで等角度間隔（本例では１２０°間隔）に分割してなる複数の固定子分割片（本例では３つの固定子分割片１２Ａ，１２Ｂ，１２Ｃ）から構成されている。後ほど詳述するように、固定子本体部１１は、図３に示すように帯状に展開することができる。図３に示す帯状展開時に中央に位置する固定子分割片１２Ｂを図４に示し、一方端側（左側）に位置する固定子分割片１２Ａを図５に示す。なお、他方端側（右側）の固定子分割片１２Ｃは、左側の固定子分割片１２Ａと鏡像（鏡像異性体）の関係にあり、図５から容易に推測可能であるため、あえて個別には図示していない。
【００２０】
図４（ａ）及び（ｂ）に示すように、中央の固定子分割片１２Ｂの左側部の上端及び下端、並びに右側部の上端及び下端の合計４箇所には、ヒンジ構成用凸部１３が設けられている。各凸部１３には垂直なピン孔１３ａが貫通形成されている。また、図５（ａ）に示すように、左側の固定子分割片１２Ａの右側部の上端及び下端には、それぞれ上下一対のヒンジ構成用凸部１４が設けられている。各凸部１４には垂直なピン孔１４ａが貫通形成されている。そして図３に示すように、左側の固定子分割片１２Ａの一対のヒンジ構成用凸部１４の間に、中央の固定子分割片１２Ｂのヒンジ構成用凸部１３を挿入配置すると共に、垂直方向に整列した一連のピン孔（１４ａ，１３ａ，１４ａ）にピン（図示略）を通すことで、ヒンジ式連結部１５が構成される。右側の固定子分割片１２Ｃは左側の固定子分割片１２Ａと鏡像の形状関係にあるため、右側の固定子分割片１２Ｃの左側部と中央の固定子分割片１２Ｂの右側部との間にも、同形式のヒンジ式連結部１５が構成される。こうして３つの固定子分割片１２Ａ，１２Ｂ，１２Ｃは、隣り合う二つの分割片間に設けられた上下一対のヒンジ式連結部１５を介して回動可能に連結され、その結果、固定子の本体部１１は、不使用時（柱状構造物への非装着時）にはヒンジ式連結部１５において折り曲げ自在な帯状の胴体をなしている。
【００２１】
図５（ａ）に示すように、左側の固定子分割片１２Ａの左側部の上端及び下端位置には、ボルト締結用の凸部１６が設けられている。同様に、右側の固定子分割片１２Ｃの右側部の上端及び下端位置にも、ボルト締結用の凸部１６が設けられている（図３参照）。これら凸部１６には水平なボルト孔１６ａが貫通形成されている（図５参照）。そして図２に示すように、固定子分割片１２Ａの一側部（左側部）と、固定子分割片１２Ｃの一側部（右側部）とを合致させると共に、一方の固定子分割片１２Ａのボルト締結用凸部のボルト孔１６ａと他方の固定子分割片１２Ｃのボルト締結用凸部のボルト孔１６ａとに対してボルト６１を挿通し、両凸部１６をボルト６１及びナット６２からなる締結具で締結することで、固定子の本体部１１は略円筒状の胴体を構築することができる。
【００２２】
図４及び図５に示すように、３つの固定子分割片１２Ａ，Ｂ，Ｃの各々には、その高さ方向中程位置において合計４本の柱状連結部１７が設けられており、これら４本の柱状連結部１７の間には、正面視で縦長な長方形状をなす嵌合孔１８が横並びに３つ設けられている。これらの嵌合孔１８は、後述する巻線コイル単位２０を着脱可能に保持するための嵌合部である。特に図４（ｂ）、図５（ｂ）及び図８（ａ）から見て取れるように、各嵌合孔１８の上縁及び下縁付近には、固定子分割片１２の弧状内周面から外周面側に向けて奥まったところに位置する取付用段差部１８ａ，１８ｂが形成されている。各嵌合孔１８における上下の段差部１８ａ，１８ｂに対して巻線コイル単位２０の上下部をそれぞれ係合させることで、各嵌合孔１８に対して巻線コイル単位２０を一つずつ嵌合させることができる（図８参照）。
【００２３】
また、図４（ｂ）及び図５（ｂ）から見て取れるように、各固定子分割片１２Ａ，１２Ｂ，１２Ｃの内周側壁面には、各嵌合孔１８の直下において縦溝１９が形成されている。この縦溝１９は、嵌合孔１８に固定された巻線コイル単位２０から延びる巻線Ｗの端部を収容するための溝である。
【００２４】
［巻線コイル単位］
図６及び図７は、巻線コイル単位２０の一つ（一単位）を示す。本実施形態では、合計９個の巻線コイル単位２０が固定子１０の各嵌合孔１８に対して装着されるが、９つとも形状は同じである。図７に示すように、巻線コイル単位２０は、合成樹脂製のコイル保持体２１に巻線（コイル線）Ｗを巻き付けてなるものである。
【００２５】
図６（ａ），（ｂ）及び（ｃ）に示すように、コイル保持体２１は、正面視が長方形状で平面視が円弧状に湾曲した基体部２２と、その基体部２２の外面側に突設された巻き付け凸部２３と、その巻き付け凸部２３の先端位置（外端位置）から左右に延設されたカバー部２４とを有している。正面視長方形状の基体部２２は、前記固定子分割片の嵌合孔１８内にピッタリと嵌合可能な形状及び寸法に設定されており、また当該基体部２２は平面視円弧状であることから、当該基体部２２が嵌合孔１８に嵌合したときには固定子分割片１２Ａ，Ｂ，Ｃの周壁部の一部となる。また、巻き付け凸部２３は巻線Ｗを巻回するための部位である（図７参照）。カバー部２４は、巻き付け凸部２３に巻回された巻線Ｗがコイル保持体２１から脱落するのを防止する規制部である。
【００２６】
なお、基体部２２の下端付近には、基体部２２をその厚み方向に貫通する二つの通し孔２５が形成されている（図６参照）。これら二つの通し孔２５を介して、巻線Ｗの二つの端部が基体部２２の外面側から内面側に導かれる（図７参照）。また、基体部２２の上端部及び下端部はそれぞれ係合部２２ａ，２２ｂとなっており、これら上下の係合部２２ａ，２２ｂが、固定子分割片の嵌合孔１８の上下に位置する段差部１８ａ，１８ｂに対してそれぞれ係合可能となっている。図８（ｂ）に示すように、固定子本体部１１を構成する３つの固定子分割片１２Ａ，Ｂ，Ｃの各嵌合孔１８に対して、巻線コイル単位２０を装着することにより、固定子１０が完成する。
【００２７】
［回転子］
図９に示すように、回転子３０は、前述の固定子１０を取り囲むような略円筒形の外胴３１を形成可能であると共にその略円筒形の外胴３１を中心軸線Ｃ２の周りで等角度間隔（本例では１２０°間隔）に分割してなる複数の回転子分割片（本例では３つの回転子分割片３２）から構成されている。３つの回転子分割片３２はいずれも同形状である。
【００２８】
図１０（ａ）及び（ｂ）に示すように、回転子分割片３２の各々は、円弧状に湾曲した壁形状をなしている。特に図１０（ｂ）からわかるように、円弧状に湾曲した回転子分割片の内周面側には、円形状の取付凹部３３が複数個（本例では４個）設けられており、各取付凹部３３には、ボタン型の永久磁石Ｍが取り付け可能となっている。図１０（ｂ）には２個の永久磁石Ｍしか示していないが、全ての回転子分割片３２の全ての取付凹部３３に対して永久磁石Ｍが、Ｎ極とＳ極とが交互に配置されるように取り付けられることは言うまでもない。
【００２９】
また、各回転子分割片３２の左側部の上端及び下端位置、並びに、右側部の上端及び下端位置には、計４つの連結用凸部３４が形成されている。図９及び図１２に示すように、３つの回転子分割片３２を組み合わせて略円筒形の外胴３１を形成したとき、いずれか一つの回転子分割片３２の一方側部の上端及び下端にある連結用凸部３４は、その隣に位置する別の回転子分割片３２の他方側部の上端及び下端にある連結用凸部３４とそれぞれ隣接接合する。そして、二つの連結用凸部（３４，３４）が隣接接合することで、平面視が台形状又はハウス形状の連結用係合部３５が構成される。そして図１２に示すように、上側の連結用係合部３５に対して上側用アーム状連結具４１を、又、下側の連結用係合部３５に対して下側用アーム状連結具４２をそれぞれ係合させることにより、隣り合う二つの回転子分割片３２が相互連結される。
【００３０】
より具体的には、図１１（ａ）及び（ｂ）に示すように、上側用アーム状連結具４１は、その基端部（根元部）の下面側において、前記連結用係合部３５の台形状又はハウス形状に対応した形状の浅い嵌合凹部４１ａを有している。同様に、図１１（ｃ）及び（ｄ）に示すように、下側用アーム状連結具４２は、その基端部（根元部）の下面側において、前記連結用係合部３５の台形状又はハウス形状に対応した形状の浅い嵌合凹部４２ａを有している。図１２に示すように、上側の連結用係合部３５が上側用アーム状連結具の嵌合凹部４１ａに嵌合するにように、且つ、下側の連結用係合部３５が下側用アーム状連結具の嵌合凹部４２ａに嵌合するにように、上側用アーム状連結具４１及び下側用アーム状連結具４２を隣り合う回転子分割片３２の間に装着することにより、３つの回転子分割片３２が一体化されて、略円筒状の外胴３１が完成する（図１参照）。
【００３１】
なお、図１に示すように、各アーム状連結具４１，４２の先端部に対しは風車ブレード５０が取付け可能であり、上側用アーム状連結具４１と下側用アーム状連結具４２とが対をなして１枚の風車ブレード５０を保持している。つまりアーム状連結具４１，４２は、風車ブレード５０を回転子３０の外側に支持する支持アームを兼ねた部材である。
【００３２】
［使用方法／利点など］
本実施形態のアウターローター型風力発電機は、概ね次のような手順で屋外に立てられた柱状構造物Ｐに対して取り付けられる。即ち、柱状構造物Ｐの外周面に対し、帯状に展開した固定子１０の本体部１１を巻き付ける。その際、固定子１０を構成する各固定子分割片１２Ａ，Ｂ，Ｃの内周面と柱状構造物Ｐの外周面との間に、両面粘着テープ（より好ましくは、スポンジ芯のある両面粘着テープ）を介在させて固定子本体部１１を柱状構造物Ｐに仮止めしてもよい。その後、帯状の固定子本体部１１の両側に位置する二つの固定子分割片１２Ａ，１２Ｃのボルト締結用凸部１６を合致させると共に、各ボルト孔１６ａにボルト６１を挿通し、両凸部１６をボルト６１及びナット６２からなる締結具で締め付ける。この締め付け力により、固定子本体部１１が柱状構造物Ｐに対して締め付け固定されると共に、固定子１０が柱状構造物Ｐ上において略円筒状の胴体を構築する。
【００３３】
続いて、柱状構造物Ｐ上の固定子１０の周囲に、３つの回転子分割片３２を配置すると共に、隣り合う回転子分割片３２間で一方分割片の連結用凸部３４と他方分割片の連結用凸部３４とを相互接合させる（図９、図１２参照）。そして、二つの連結用凸部３４の相互接合によってできた台形状又はハウス形状の連結用係合部３５に対して上側及び下側用アーム連結具４１，４２を装着（外嵌）し、３つの回転子分割片３２を一体化する。これにより固定子１０の周囲には、回転子３０の略円筒状の外胴３１が構築される。その後、上下一組で対をなす３対のアーム連結具４１，４２の先端部に風車ブレード５０を装着することで、アウターローター型風力発電機が完成する（図１参照）。
【００３４】
本実施形態によれば、固定子１０の本体部１１は３個の固定子分割片（１２Ａ，Ｂ，Ｃ）から構成され、非装着時には折り曲げ自在な帯状の胴体をなす一方で、柱状構造物Ｐへの装着時には略円筒形の胴体を構成することができる。このため、未使用時における保管や搬送が容易であると共に、必要時には固定子１０を柱状構造物Ｐに対して簡便且つ迅速に取付けることができる。より具体的には、本発明の風力発電機を分解した状態で災害現場へ持って行き、現地で災害後にも残っている柱状構造物Ｐ（例えば、電柱や夜間照明の街路灯用支柱など）を利用して、風力発電機を簡便且つ迅速に構築することができる。それ故、被災地等において早期に電力供給を回復する必要がある場合などの緊急時対応用の風力発電機として、極めて高い有用性を有する。
【００３５】
また本実施形態では、コイル保持体２１に巻線Ｗを巻き付けてなる巻線コイル単位２０を個別部品として用意すると共に、各巻線コイル単位２０を固定子分割片の各嵌合部１８にそれぞれ嵌合固定する構造としている。このため、例えば落雷によって巻線コイルに不具合が生じても、パーツ毎に（即ち巻線コイル単位で）交換することができ、メンテナンス性に優れている。また、巻線コイル単位２０は固定子分割片１２Ａ，Ｂ，Ｃから切り離された別部品であるため、例えばコイル保持体２１に巻線Ｗを巻き付ける作業を、自動巻回装置などの工作機械を利用して行うことができ、量産性に優れている。
【００３６】
［変更例］
本発明は、図１〜図１２に示した実施形態に限定されるものではなく、次のような態様に変更して実施することもできる。
固定子本体部１１を構成する固定子分割片１２の数は、３個に限定されず、２個、あるいは４個以上であってもよい。回転子３０における回転子分割片３２の数についても、同様のことが言える。風車ブレード５０の数は、３つに限定されず、２つ、あるいは４つ以上であってもよい。
上記実施形態では、締結具としてボルト６１及びナット６２の組合せを採用したが、これに代えて、ばね力の強いクリップを採用してもよい。
【００３７】
本発明のアウターローター型風力発電機を、例えば自動車用道路の中央分離帯に設置されたフェンスあるいはガードレールの支柱に取り付けて使用してもよい。その場合には、道路を走行する多数の自動車（トラックやバスを含む）によって生み出される気流や風圧を風力発電に利用することができる。そして、風力発電によって生じた電力を自動車用道路に設けられた電光掲示（例えばＬＥＤ表示）等の電力として利用することができる。
【符号の説明】
【００３８】
１０  固定子（ステータ）
１１  固定子の本体部
１２Ａ，１２Ｂ，１２Ｃ  固定子分割片
１５  ヒンジ式連結部
１８  嵌合孔（固定子分割片における嵌合部）
２０  巻線コイル単位
２１  コイル保持体
３０  回転子（ローター）
３２  回転子分割片
３５  台形状又はハウス形状の連結用係合部
４１  上側用アーム状連結具（兼、支持アーム）
４２  下側用アーム状連結具（兼、支持アーム）
５０  風車ブレード（風受け部材）
６１  ボルト（締結具）
６２  ナット（締結具）
Ｃ１，Ｃ２  中心軸線
Ｍ  ボタン型の永久磁石
Ｐ  柱状構造物
Ｗ  巻線（コイル線）
【図１】
2015209805.tif 000003
【図２】
2015209805.tif 000004
【図３】
2015209805.tif 000005
【図４】
2015209805.tif 000006
【図５】
2015209805.tif 000007
【図６】
2015209805.tif 000008
【図７】
2015209805.tif 000009
【図８】
2015209805.tif 000010
【図９】
2015209805.tif 000011
【図１０】
2015209805.tif 000012
【図１１】
2015209805.tif 000013
【図１２】
2015209805.tif 000014